【事件の表示】
　平成２年特許願第３１０３２６号「撮像装置」拒絶査定に対する審判事件［平成４年６月２９日出願公開、特開平４−１８１８７８］について、次のとおり審決する。
【結　論】
　本件審判の請求は、成り立たない。
【理　由】
第１　本願発明
　本願は、平成２年１１月１６日の出願であって、その発明は、補正された明細書及び図面の記載からみて、その特許請求の範囲（請求項の数３）に記載された「撮像装置」に係るものであるところ、その請求項１に記載された発明（以下「本願発明」という。）は、次に掲げるとおりのものである。
「キャラクタジェネレータから出力されるキャラクタ信号と撮像信号により形成されたビデオ信号とが供給されて表示器に上記ビデオ信号による画像と上記キャラクタ信号によるキャラクタとをカラーで表示するビューファインダを備える撮像装置において、
　上記表示器の画面内に、ビデオテープの記録時間情報を示すキャラクタ、ビデオテープの有無情報を示すキャラクタ、ビデオヘッドの状態を示すキャラクタ、周囲光の光量情報を示すキャラクタ、結露発生有無情報を示すキャラクタおよび日付を示すキャラクタのうちの少なくとも１つのキャラクタを表示することができ、表示されるキャラクタをカラーで表示するようにしたことを特徴とする撮像装置」
　
第２　先願発明
　原審の拒絶理由に引用された、本願出願の日前の平成１年１０月１１日の出願（特願平１−２６４２８５号、以下「先願」という。）であって、その出願後に公開された特開昭６０−１０２０９１号公報を参照すると、先願には、次に掲げる(1)ないし(9)の事項からなるカメラ一体型ビデオテープレコーダ（以下「先願発明」という。）が記載されている。
　 (1)　この発明は、カメラ一体型ビデオテープレコーダに関し、特に、スーパインポーズ機能を有するカラービューファインダを備える、カメラ一体型ビデオテープレコーダに関する。（１頁右下欄１０行ないし１３行）
　 (2)　ところで、カメラ一体型ビデオテ一プレコーダのビュ一ファインダについては、近年白黒表示からカラー表示へと機能アップしつつある。しかしながら、カラービューファインダの画面にスーパインポーズされる文字の色は、従来の白黒表示のビューファインダ同様に白一色で統一されている。（２頁左上欄２行ないし７行）
　 (3)　しかしながら、従来のカメラ一体型ビデオテープレコーダのカラービューファインダに適用されるスーパインポーズ装置においては、スーパインポーズされる文字、記号などの画像の色は、ＤＣ電圧（輝度レベル）の可変調整しかできない。つまり、スーパインポーズされる画像の表示色は白、黒、灰色といった白黒表示に限定される。（３頁右上欄２行ないし８行）
　 (4)　それゆえに、本発明の目的は、カラービューファインダの表示画面にスーパインポーズされる文字や図形などの画像のカラー表示が可能なカメラ一体型ビデオテープレコーダを提供することである。（３頁右上欄末行ないし同頁左下欄４行）
　 (5)　本発明にかかるカメラ一体型ビデオテープレコーダは、上述のように構成されるので、カラービューファインダの表示画面に重ね合せられる画像を任意にカラー表示できる。（３頁右下欄６行ないし９行）
　 (6)　第１図に示すスーパインポーズ装置は、従来同様に輝度信号処理回路１、クロマ信号処理回路２、文字混合スイッチ５および７、キャラクタジェネレータマイコン９aおよびカラービューファインダ１４を含む。さらに、このスーパインポーズ装置は、従来のＤＣ発生装置１５およびミュートコンデンサ１６を排し、新たに文字輝度レべル発生回路６、文字カラー発生回路８，マトリクス回路１０よび外部スイッチ１９を含む。（３頁右下欄下から４行ないし４頁左上欄５行）
　 (7)　輝度信号処理回路１は、従来同様に被写体像より得られる複合映像信号から分離された輝度信号について所定の処理を行った後、映像輝度信号３を文字混合スイッチ５に与える。並行してクロマ信号処理回路２は、複合映像信号より分離されたクロマ信号について所定の処理を行なった後、映像クロマ信号４を文字混合スイッチ７に与える。
　キャラクタジェネレータマイコン９aは、従来同様に複合映像信号から分離された同期信号の入力に応じて文字パルスＰ１を発生する。同時に、スーパインポーズする文字、記号などの画像の表示色指定信号ＣＳに応じて、３ビットのディジタル信号Ｒ、ＧおよびＢを発生し、マトリクス回路１０に与える。この表示色指定信号ＣＳは、外部スイッチ１９を介してユーザにより指定されるスーパインポーズ画像の表示色を指定する信号である。また、スーパインポーズしようとする文字や図形などの画像情報は、予めキャラクタダジェネレータマイコン９aの内部に記憶されるか、または外部から与えられる情報である。（４頁左上欄８行ないし同頁右上欄７行）
　 (8)　カラービューファインダ１４は混合された輝度信号１２および混合されされさたクロマ信号１３を入力し、両信号に基づいて画面表示する。したがって、その表示画面にスーパインポーズされる画像は、予め指定される位置に指定色で表示できる。（５頁左上欄１５行ないし１９行）
　 (9)　以上のように、本発明によれば、カラービューファインダにスーパインポーズされる文字、図形などの画像を任意にカラー表示できる。したがって、カメラ一体型ビデオテープレコーダ使用時において記録中を表示するタリー表示やバッテリ警告、テープ残量警告のアラーム表示をカラーでカラービューファインダにスーパインポーズできるので、ユーザがこれら表示を識別しやすくなる。（５頁右上欄８行ないし１５行）
　
第３　先願発明と本願発明との対比
　１　両発明における事項の対比
　　先願発明は「カメラ一体型ビデオテープレコーダ」に係るものであるが、このカメラ一体型ビデオテープレコーダは、スーパインポーズ機能を有するカラービューファインダを備える「撮像装置」といえるから（上記第２の(1)を参照）、先願発明における事項と本願発明における事項とを対比すると、次に掲げる(1)ないし(3)の事項がそれぞれ相当する。
　 (1)　先願発明における「キャラクタジェネレータマイコン９a」は、スーパインポーズしようとする文字や図形などの画像情報を内部に記憶し、同期信号の入力に応じて文字パルスＰ１を発生するから（上記第２の(7)を参照）、本願発明における「キャラクタジェネレータ」に相当する。
　 (2)　先願発明におけるカラービューファインダ１４は、その表示画面にスーパインポーズされる画像を予め指定される位置に指定色で表示するから（上記第２の(8)を参照）、その表示画面は、本願発明における「表示器」に相当する。
　 (3)　先願発明における「カラービューファインダ１４」は、その表示画面に重ね合せられる画像を任意にカラー表示するから（上記第２の(5)を参照）、本願発明における「ビューファインダ」に相当する。
　
　２　本願発明と先願発明との一致点・相違点
　　上記１の対比から、本願発明と先願発明とは次に掲げる(1)の点で一致し、(2)の点で一見相違する。
　 (1)　一致点
「キャラクタジェネレータから出力されるキャラクタ信号と撮像信号により形成されたビデオ信号とが供給されて表示器に上記ビデオ信号による画像と上記キャラクタ信号によるキャラクタとをカラーで表示するビューファインダを備える撮像装置において、
　上記表示器の画面内に、キャラクタを表示することができ、表示されるキャラクタをカラーで表示するようにしたことを特徴とする撮像装置」
　 (2)　相違点
　上記表示器の画面内に表示する「キャラクタ」が、
　本願発明においては「ビデオテープの記録時間情報を示すキャラクタ、ビデオテープの有無情報を示すキャラクタ、ビデオヘッドの状態を示すキャラクタ、周囲光の光量情報を示すキャラクタ、結露発生有無情報を示すキャラクタおよび日付を示すキャラクタのうちの少なくとも１つ」であるのに対して、
　先願発明においては「スーパインポーズされる文字、記号、図形であるところの、記録中を表示するタリー表示やバッテリ警告、テープ残量警告のアラーム表示」である点
　
　３　相違点の検討
　　ビデオカメラのビューファインダに関して、ビューファインダの陰極線管（表示器）に、日付を示すキャラクタを表示すること及び青色で光量不足を表示することは、例えば、実願昭６０−１５６０３０号（実開昭６２−６４０７３号公報）のマイクロフィルム（特に、１頁下から５行ないし２頁２行を参照）及び実願昭５８−６４２６７号（実開昭５９−１７０３６７号公報）のマイクロフィルム（特に、６頁下から２行ないし末行を参照）にも示されているように、本願出願の日前において、当業者において、よく知られていることである。
　これらのことを考慮すると、先願発明において、スーパインポーズされる文字、記号、図形であるところの、日付や光量不足を示すキャラクタを採用することは、当業者において、必要に応じて適宜採用し得る設計的な事項と認められる。
　したがって、表示器の画面内に表示する「キャラクタ」を、光量不足（周囲光の光量情報）を示すキャラクタや日付を示すキャラクタとすることは、設計的な事項であるから、上記相違点は実質的な相違点ではなく、本願発明と先願発明とは実質的に同一といえる。
　
第４　むすび
　以上、本願発明は、先願発明と同一であると認められ、しかも、本願に係る発明者が先願に記載された発明者と同一であるとも、また、本願に係る出願人が先願に記載された出願人と同一であるとも認められないので、特許法２９条の２項の規定により特許を受けることができない。
　よって、結論のとおり審決する。